(57)【要約】      （修正有）【課題】小売店の店舗に陳列される商品を装飾し、同時にその商品を鮮やかに照射することが可能な装飾構造体を提供する。【解決手段】装飾構造体１は、第１の電線を用いて接続された第１の発光色の複数の第１の照明部材を備えた第１の照明装置１０と、第２の電線を用いて接続された第２の発光色の複数の第２の照明部材を備えた第２の照明装置２０と、装飾構造体の輪郭を形成する複数のワイヤー３２を備え、第１及び第２の照明装置をそれぞれ保持する保持部材３０と、保持部材を支持する支持部材４０とを有し、第１の照明装置は、複数のワイヤーのうち第１のワイヤーに保持され、第２の照明装置は、複数のワイヤーのうち第１のワイヤーとは別の第２のワイヤーに保持され、第１及び第２のワイヤーのそれぞれの直径は、第１及び第２の照明部材のそれぞれの表面の一辺の幅よりも短い。【選択図】図１
0003228515.tif 000002
【実用新案登録請求の範囲】
【請求項１】
商品に光を照射する装飾構造体であって、
第１の電線を用いて接続された第１の発光色の複数の第１の照明部材を備えた第１の照明装置と、
第２の電線を用いて接続された第２の発光色の複数の第２の照明部材を備えた第２の照明装置と、
前記装飾構造体の輪郭を形成する複数のワイヤーを備え、前記第１の照明装置及び前記第２の照明装置をそれぞれ保持する保持部材と、
前記保持部材を支持する支持部材と、を有し、
前記第１の照明装置は、前記保持部材の前記複数のワイヤーのうち第１のワイヤーに保持され、前記第２の照明装置は、前記保持部材の前記複数のワイヤーのうち第１のワイヤーとは別の第２のワイヤーに保持され、
前記第１のワイヤー及び前記第２のワイヤーのそれぞれの直径は、前記第１の照明部材及び前記第２の照明部材のそれぞれの表面の一辺の幅よりも短いことを特徴とする装飾構造体。
【請求項２】
前記第１の照明部材及び前記第２の照明部材の向きを変えられるように前記第１の照明装置及び前記第２の照明装置のそれぞれと前記保持部材とを連結する連結部材を更に有することを特徴とする請求項１に記載の装飾構造体。
【請求項３】
前記連結部材は、前記第１の照明装置及び前記第２の照明装置のそれぞれの位置を変えられるように半固定する留め具であることを特徴とする請求項２に記載の装飾構造体。
【請求項４】
前記第１の発光色は白色であり、前記第２の発光色は電球色であることを特徴とする請求項１乃至３のいずれか一項に記載の装飾構造体。
【請求項５】
前記複数の第１の照明部材の各々と前記複数の第２の照明部材の各々は、前記表面が略同一方向を向くように配置されていることを特徴とする請求項１乃至４のいずれか一項に記載の装飾構造体。
【請求項６】
前記第１の照明部材及び前記第２の照明部材のそれぞれの前記表面には、４個のＬＥＤチップが設けられていることを特徴とする請求項１乃至５のいずれか一項に記載の装飾構造体。
【請求項７】
前記複数のワイヤーは、互いに略平行に配置されていることを特徴とする請求項１乃至６のいずれか一項に記載の装飾構造体。
【請求項８】
前記保持部材は、２個以上に分割可能に構成されていることを特徴とする請求項１乃至７のいずれか一項に記載の装飾構造体。
【請求項９】
前記保持部材は、
前記複数のワイヤーの一部を構成する複数の第１の部分ワイヤーを備えた第１の保持部材と、
前記複数のワイヤーの他の一部を構成する複数の第２の部分ワイヤーを備えた第２の保持部材と、
前記第１の保持部材と前記第２の保持部材とを接続する接続部材と、を有することを特徴とする請求項１乃至８のいずれか一項に記載の装飾構造体。
【考案の詳細な説明】
【技術分野】
【０００１】
本考案は、小売店の店舗に陳列される商品の周囲を装飾し、同時にその商品を鮮やかに照明する装飾構造体に関する。
【背景技術】
【０００２】
小売店等では被服、靴、雑貨等の商品を店内に陳列し、その商品の周囲に装飾のための縫いぐるみ等を設置し、かつライト照明等で光を照射することが行われている。しかし、装飾用の縫いぐるみやライト照明等は個別に設置されており、その設置の手間等が多い。このような手間を省く工夫として、出願人は、装飾構造体の輪郭を形成する輪郭形成部材を有し、その輪郭形成部材表面に光を照射する照明部材が設けられていることを特徴とする装飾構造体を創作している（特許文献１）。
【０００３】
また、従来から、自然光に極めて近い定常光を使用して、良好な写真を撮影することができる照明装置が知られている。特許文献２には、定常光を使用して、影の少ない色合いの良好な写真を簡単に撮影することができる写真撮影用照明装置が開示されている。特許文献２には、自然光に近似した色温度の光を放射するランプが配設された発光壁ユニットを門形に配置して構成された写真撮影用照明装置が開示されている。
【先行技術文献】
【特許文献】
【０００４】
【特許文献１】実用新案登録第３２２５０７７号公報
【特許文献２】特開２００５−３１５１１号公報
【考案の概要】
【考案が解決しようとする課題】
【０００５】
しかしながら、特許文献１に開示された装飾構造体において、白色ＬＥＤを用いた照明部材を用いて商品の照射を行うと、商品が白っぽく見えてしまうという問題がある。一方で、電球色ＬＥＤを用いた照明部材を用いると、商品に赤みが出て見えてしまう。
【０００６】
また、特許文献２に開示された写真撮影用照明装置は、発光壁ユニットによって商品の背景が隠されてしまうため、ショーウインドウ等の屋内で商品を照射するには適さない。
【０００７】
そこで本考案の目的は、小売店の店舗に陳列される商品を装飾し、同時にその商品を鮮やかに照明する装飾構造体を提供することである。
【課題を解決するための手段】
【０００８】
上記課題を解決するため、本考案に係る装飾構造体は、商品に光を照射する装飾構造体であって、第１の電線を用いて接続された第１の発光色の複数の第１の照明部材を備えた第１の照明装置と、第２の電線を用いて接続された第２の発光色の複数の第２の照明部材を備えた第２の照明装置と、装飾構造体の輪郭を形成する複数のワイヤーを備え、前記第１の照明装置及び前記第２の照明装置をそれぞれ保持する保持部材と、前記保持部材を支持する支持部材とを有し、前記第１の照明装置は、前記保持部材の前記複数のワイヤーのうち第１のワイヤーに保持され、前記第２の照明装置は、前記保持部材の前記複数のワイヤーのうち第１のワイヤーとは別の第２のワイヤーに保持され、前記第１のワイヤー及び前記第２のワイヤーのそれぞれの直径は、前記第１の照明部材及び前記第２の照明部材のそれぞれの表面の一辺の幅よりも短い。
【０００９】
本考案の他の目的や特徴は、以下の実施形態において説明される。
【考案の効果】
【００１０】
本考案によれば、小売店の店舗に陳列される商品を装飾し、同時にその商品を鮮やかに照射することが可能な装飾構造体を提供することができる。
【図面の簡単な説明】
【００１１】
【図１】本実施形態に係る装飾構造体１の斜視図である。
【図２】（ａ）照明装置１０の例を説明する正面図であり、（ｂ）照明装置２０の例を説明する正面図である。
【図３】商品と対峙する側から見た装飾構造体１の拡大図であり、照明部材の光を照射する方向が異なる４つのケースを示している。
【考案を実施するための形態】
【００１２】
以下、本考案の実施形態に関し、図面を参照して説明する。なお、本考案は、以下の記述に限定されるものではなく、本考案の要旨を逸脱しない範囲において適宜変更可能である。また、図面は模式的なものであり、各寸法等は現実なものと異なることがある。具体的な寸法は以下の説明を参酌して判断すべきものである。また、図面相互間においても互いの寸法の関係や比率が異なる部分が含まれていることは無論である。
【００１３】
図１は、本実施形態に係る装飾構造体１の一実施例の斜視図であり、図２（ａ）は、照明装置（第１の照明装置）１０の例を説明する正面図であり、図２（ｂ）は、照明装置（第２の照明装置）２０の例を説明する正面図であり、図３は、商品と対峙する側から見た装飾構造体１の拡大図であり、照明部材の光を照射する方向が異なる４つのケースを示している。
【００１４】
図１を用いて、装飾構造体１の構造を説明する。
【００１５】
装飾構造体１は、被服、靴、雑貨等の商品や商品パッケージに光を照射する装飾構造体であり、例えば、ショーウインドウ等の屋内に設置されて利用されるものである。このとき、商品は、装飾構造体１の光が向けられた場所に位置する。このように商品を照射することにより、ショーウインドウ等の屋内において、商品を際立たせて見せることができる。
【００１６】
装飾構造体１は、図１に示すように、当該装飾構造体１の輪郭（装飾構造体１の全体の輪郭、本実施例ではハート型の輪郭）を形成する輪郭形成部材３０を有する。輪郭形成部材３０は、照明装置１０、２０をそれぞれ保持する保持部材である。さらに、支持部材４０が、輪郭形成部材３０を支持している。
【００１７】
輪郭形成部材３０は、ハート型の輪郭の左半分、又は右半分の形をした２つの輪郭形成部材３１（第１の保持部材３１ａ、第２の保持部材３１ｂ）を組み合わせて構成される（すなわち、輪郭形成部材３０は左右に分割可能である）。輪郭形成部材３１において、ハート型の輪郭の左半分、又は右半分の形をしたワイヤー３２ａ〜３２ｘ（以降、複数のワイヤー３２として説明する）が互いに略平行に並んでいる。そして、当該ワイヤー３２に垂直に設置された円形状の複数のワイヤー３３が、略平行に並んでいる複数のワイヤー３２を固定している。また、複数のワイヤー３２の上側の末端が、円形のワイヤー３４に接続している。そして、左右に並んだ２つの輪郭形成部材３１の円形のワイヤー３４どうしを留め具３５で固定することにより、２つの輪郭形成部材３１が接続されている。また、複数のワイヤー３２の下側の末端は、板状部材３６に接続している。そして、左右に並んだ２つの輪郭形成部材３１の板状部材３６どうしをボルト３７１とナット３７２で固定することにより、２つの輪郭形成部材３１が接続されている。すなわち本実施形態において、輪郭形成部材３０は、第１の保持部材３１ａと、第２の保持部材３１ｂと、第１の保持部材３１ａと第２の保持部材３１ｂとを接続する接続部材（ワイヤー３４、留め具３５、板状部材３６、ボルト３７１、ナット３７２）とを有する。第１の保持部材３１ａは複数のワイヤー３２の一部（例えば左半分）を構成する複数の第１の部分ワイヤー３２１を備え、第２の保持部材３１ｂは複数のワイヤー３２の他の一部（例えば右半分）を構成する複数の第２の部分ワイヤー３２２を備えている。複数の第１の部分ワイヤー３２１と複数の第２の部分ワイヤー３２２とを組み合わせることにより、複数のワイヤー３２が構成される。このように、輪郭形成部材３０は、２つの輪郭形成部材３１を接続して組み立てられることから、輪郭形成部材３０の組み立てが容易になっている。
【００１８】
輪郭形成部材３０の商品と対峙する側のワイヤー３２（第１のワイヤー、例えばワイヤー３２ａ）に、照明装置１０が固定されている。そして、輪郭形成部材３０の商品と対峙する側の、照明装置１０が固定されたワイヤー３２とは別のワイヤー３２（第２のワイヤー、例えばワイヤー３２ｂ）に、照明装置２０が固定されている。このようにして、輪郭形成部材３０に固定された２つの照明装置１０と照明装置２０は、互いに略平行に配置されている。そして、輪郭形成部材３０が、左右に分割された、２つの輪郭形成部材３１から構成される場合は、商品が存在する側から見て、左側の輪郭形成部材３１の第１のワイヤーと右側の輪郭形成部材３１の第１のワイヤーに、照明装置１０が固定され、左側の輪郭形成部材３１の第２のワイヤーと右側の輪郭形成部材３１の第２のワイヤーに、照明装置２０が固定される。
【００１９】
支持部材４０は、地面上に水平に置かれた角形の棒状部材４１と、地面とは垂直に起立した角形の棒状部材４２からなる。棒状部材４２の上端部４２１は、輪郭形成部材３０のワイヤー３２とワイヤー３３が交差する場所で、溶接により、ワイヤー３２とワイヤー３３の両方に固定されている。また、棒状部材４２の中間の部位４２２も、輪郭形成部材３０のワイヤー３２とワイヤー３３が交差する場所で、溶接により、ワイヤー３２とワイヤー３３の両方に固定されている。棒状部材４２と溶接されたワイヤー３３とは別のワイヤー３３に、直線状のワイヤー３８が、ワイヤー３３の円の中心を通るように固定されている。そして、棒状部材４２の上端部よりやや下の部位４２３が、溶接により、ワイヤー３８に固定されている。このようにして、棒状部材４２は、輪郭形成部材３０に、強く固定されている。ただし本実施形態は、これに限定されるものではなく、ネジ止め等の他の方法により、棒状部材４２を輪郭形成部材３０（ワイヤー３２、ワイヤー３３、又はワイヤー３８）に固定しても良い。
【００２０】
支持部材４０の棒状部材４１には、中空の角筒部材４３が垂直に接続している。棒状部材４２を角筒部材４３に差し込むことにより、棒状部材４２を棒状部材４１に固定する。棒状部材４２を角筒部材４３に差し込んだあと、ボルト４５により、棒状部材４２と角筒部材４３を固定しても良い。棒状部材４１と角筒部材４３の接続部分において、箒型の三角形の形状になるように、棒状部材４４の両端がそれぞれ、棒状部材４１と角筒部材４３に接続されている。このため、棒状部材４１と角筒部材４３の接続部分に過度の負荷がかからないようになっている。
【００２１】
また、棒状部材４２の上部の一部を、棒状部材４２とは別の中空の角筒部材４６（図示なし）として、角筒部材４６を、ワイヤー３２、ワイヤー３３、又はワイヤー３８に固定し、棒状部材４２の上端を、角筒部材４６に差し込むことにより、棒状部材４２を輪郭形成部材３０に固定しても良い。このようにして、角筒部材４３や角筒部材４６を用いることにより、輪郭形成部材３０と支持部材４０との着脱を容易に行うことができる。
【００２２】
棒状部材４１の端部側には、貫通孔４１１が形成されている。そして、貫通孔４１１に、約４０ｃｍの長さのボルト４７（図示なし）が接続されている。ボルト４７を設けることにより、支持部材４０が安定して屋内に設置される。なお、ボルト４７の長さは約４０ｃｍに限られず、約４０ｃｍより長くても短くても良い。また、ボルト４７によって、支持部材４０が固定されるのは地面に限られず、コンクリート等の他の平面であっても良い。また、棒状部材４１の形状は、棒状に限られるものではなく、Ｈ型状や板状の形状など、支持部材４０が安定して地面に設置されるような形状でも良い。また、棒状部材４１等の支持部材４０の底にローラ（図示は省略）を設けることにより、店舗内の移動等を容易にするように構成することができる。
【００２３】
本実施例において、輪郭形成部材３０は、２つの輪郭形成部材３１に分離可能であるが、３つ以上に分離可能であっても良い。または輪郭形成部材３０は、分離できなくても良い（一体的に構成されていても良い）。
【００２４】
本実施例において、装飾構造体１の輪郭を形成するワイヤー３２の形状はハート型の左半分、又は右半分の形であるが、ワイヤー３２の形状（装飾構造体１の全体の輪郭）は、ハート型に限定されるものではなく、その他の図形、文字、記号、又はこれらの組み合わせであっても良い。また、ワイヤー３２は、逆Ｕ字型などの単純な形状であっても良い。
【００２５】
本実施例において、２本よりも多い数のワイヤー３２を用いているが、少なくとも２本のワイヤー３２を用いていれば良い。
【００２６】
本実施例において、ワイヤー３３が複数のワイヤー３２を固定しているが、ワイヤー３２の固定方法は、ワイヤー３３による固定に限られない。
【００２７】
本実施例において、ワイヤー３２を棒状部材４２が支えているが、ワイヤー３２と棒状部材４２は一体であっても良い。
【００２８】
本実施例において、棒状部材４２を角筒部材４３に差し込むことにより、棒状部材４２を棒状部材４１に固定しているが、棒状部材４２を、溶接等により、直接、棒状部材４１に固定しても良い。
【００２９】
本実施例において、支持部材４０はほうき型であるが、Ｉ字型などの任意の形の支持部材を用いることができる。また、本実施例において、２個の支持部材４０を用いているが、支持部材４０は１個だけでも良いし、３個以上を用いても良い。
【００３０】
本実施例において、棒状部材４１、棒状部材４２、角筒部材４３、棒状部材４４、及び角筒部材４６は、角形の部材を用いたが、円形の部材等を用いても良い。
【００３１】
本実施例において、ワイヤー３２、ワイヤー３３、ワイヤー３８、棒状部材４１、棒状部材４２、角筒部材４３、棒状部材４４、及び角筒部材４６は、金属で構成させるが、木材、プラスチック等の任意の硬質の素材を用いることができる。
【００３２】
本実施例では、輪郭形成部材３０の表面を、多数の装飾電球３９が覆っている。なお、装飾電球３９は必要に応じて設ければ良く、本考案に必須の構成ではない。
【００３３】
次に、図２を用いて、照明装置１０と照明装置２０の構造を説明する。
【００３４】
装飾構造体１において、商品と対峙する側の輪郭形成部材３０の別々のワイヤー３２に、それぞれ、照明装置１０と照明装置２０とが略平行に固定されている。具体的には、白色の光（第１の発光色）を発する照明部材（第１の照明部材）１１ａ〜１１ｘを数珠つなぎに接続した照明装置１０が、輪郭形成部材３０のワイヤー３２（第１のワイヤー）に固定されている。そして、電球色の光（第２の発光色）を発する照明部材（第２の照明部材）２１ａ〜２１ｘを数珠つなぎに接続した照明装置２０が、照明装置１０が固定されたワイヤー３２とは別のワイヤー３２（第２のワイヤー）に、照明装置１０に対して略平行に固定されている。
【００３５】
照明装置１０は、照明部材１１ａ〜１１ｘと、これらの照明部材より数が１本多い複数の電線（第１の電線）１２ａ〜１２ｘ＋１で構成される。ここで、図２（ａ）では、照明装置１０の複数の照明部材及び複数の電線として、３個の照明部材１１ａ、１１ｂ、１１ｃ及び４本の電線１２ａ、１２ｂ、１２ｃ、１２ｄのみをそれぞれ示しているが、実際には、より多くの照明部材１１ａ〜１１ｘ及び電線１２ａ〜１２ｘ＋１が配置されている。
【００３６】
図２に示されるように、照明部材１１ａは、表面側から見た場合、正四角形の形状をしている。商品と対峙する側の照明部材１１ａの表面１１１には、４個の白色のＬＥＤチップ１１２〜１１５が別離して設けられている。また、制御チップ１１６（図示なし）が設けられている。なお、照明部材１１ａの形状は、正四角形に限られるものではなく、長方形や丸形など、任意の形でも良い。また、白色ＬＥＤチップの数は、４個に限られるものではなく、１個でも良く、２個以上の任意の数でも良い。
【００３７】
照明部材１１ａの表面１１１上の部位１１７において、電線１２ａの末端１２２が接続されている。さらに、表面１１１上の別の部位１１８において、電線１２ｂの末端１２１が接続されている。電線１２ｂにおいて、照明部材１１ａの部位１１８と接続した末端１２１とは反対側の末端１２２は、照明部材１１ａとは別の照明部材１１ｂの表面１１１上の部位１１７において、照明部材１１ｂと接続されている。このように、電線１２ｂ〜１２ｘ＋１の末端１２１を、照明部材１１ａ〜１１ｘの部位１１８に接続し、電線１２ａ〜１２ｘの末端１２２を、照明部材１１ａ〜１１ｘの部位１１７に接続をすることを繰り返すことにより、照明部材１１ａ〜１１ｘが数珠つなぎに接続された照明装置１０が構成される。電線１２ａ〜１２ｘ＋１は、照明部材１１ａ〜１１ｘ上のＬＥＤチップ１１２〜１１５に電力を供給するために用いられる。
【００３８】
同様に、照明部材２１ａ〜２１ｘには、表面２１１に、４個の電球色のＬＥＤチップ２１２〜２１５が設けられている。そして、照明部材２１ａ〜２１ｘと電線２２ａ〜２２ｘ＋１とをそれぞれ交互に接続することにより、電球色の光を発する照明装置２０が構成される。ここで図２（ｂ）では、照明装置２０の複数の照明部材及び複数の電線として、３個の照明部材２１ａ、２１ｂ、２１ｃ及び４本の電線２２ａ、２２ｂ、２２ｃ、２２ｄのみをそれぞれ示しているが、実際には、より多くの照明部材２１ａ〜２１ｘ及び電線２２ａ〜２２ｘ＋１が配置されている。
【００３９】
以上のように、照明装置１０は、電線１２ａ〜１２ｘ＋１を用いて接続された第１の発光色（例えば白色）の複数の照明部材１１ａ〜１１ｘを備えている。照明装置２０は、電線２２ａ〜２２ｘ＋１を用いて接続された第２の発光色（例えば電球色）の複数の照明部材２１ａ〜２１ｘを備えている。
【００４０】
ここで、発光色は色温度（光源からの光の色を数値で表したものであり、単位はＫ（ケルビン））で定義される。ＬＥＤの発光色は、通常、「電球色」「温白色」「白色」「昼白色」「昼光色」の５種類の発光色に分類される。これらの発光色は電球色：２６００〜３２５０Ｋ、温白色：３２５０〜３８００Ｋ、白色：３８００〜４５００Ｋ、昼白色：４６００〜５５００Ｋ、昼光色：５７００〜７１００Ｋのように区分される。本実施形態において、白色のＬＥＤの色温度は約６５００Ｋであり、電球色のＬＥＤの色温度は約３５００Ｋである。なお、白色のＬＥＤ及び電球色のＬＥＤの色温度は、これらの色温度に限られるものではなく、上述の「電球色」「温白色」「白色」「昼白色」「昼光色」の５種類の発光色の分類において、「白色」、「昼白色」、又は「昼光色」の発光色のＬＥＤを白色のＬＥＤとして用いて、「電球色」又は「温白色」の発光色のＬＥＤを電球色のＬＥＤとして用いても良い。ただし本実施形態は、第１の発光色（第１の色温度）が白色で第２の発光色（第２の色温度）が電球色である場合に限定されるものではなく、第１の発光色と第２の発光色とが異なっていれば良い。
【００４１】
次に、図３を用いて、照明装置１０を輪郭形成部材３０に固定する実施例を説明する。
【００４２】
照明装置１０の電線１２ａ〜１２ｘ＋１のいずれか１本と、輪郭形成部材３０のワイヤー３２とが、留め具（連結部材、第１の留め具）１３により固定（連結）されている。留め具１３はプラスチック製の結束バンドであるが、これに限定されるものではなく、金属等の他の材料からなるものであっても良い。さらに、留め具１３は１個に限られず、複数個の留め具１３が、照明装置１０の電線１２ａ〜１２ｘ＋１のうちの任意の数の電線と輪郭形成部材３０のワイヤー３２とを複数個所で固定している。
【００４３】
一方で、照明装置２０の電線２２ａ〜２２ｘ＋１のうちの任意の数の電線と、輪郭形成部材３０の、照明装置１０が固定されたワイヤー３２（第１のワイヤー）とは別のワイヤー３２（第２のワイヤー）とを、第２の留め具（図示なし）で固定することによって、照明装置２０が輪郭形成部材３０に固定されている。なお本実施形態において、照明装置２０と第２のワイヤーとを連結する第２の留め具は、照明装置１０と第１のワイヤーとを連結する第１の留め具と同様の構造を有する。ただし本実施形態は、これに限定されるものではなく、互いに異なる構造を有していても良い。
【００４４】
この際、第１の留め具又は第２の留め具による固定を半固定にして、照明部材１１ａ〜１１ｘ、又は照明部材２１ａ〜２１ｘの向きを変えられるようにして、照明部材１１ａ〜１１ｘの表面１１１、及び、照明部材２１ａ〜２１ｘの表面２１１が、商品の方を向くように調節できるようにしても良い。このとき第１の留め具又は第２の留め具は、複数の照明部材１１ａ〜１１ｘ及び複数の照明部材２１ａ〜２１ｘの向きを変えられるように照明装置１０、２０のそれぞれと輪郭形成部材３０とを連結（半固定）する連結部材として機能する。例えば、照明部材１１ａ〜１１ｘの表面１１１と照明部材２１ａ〜２１ｘの表面２１１は、略同一方向を向くように配置することができる。
【００４５】
なお本実施形態において、第１の留め具又は第２の留め具は結束バンドに限定されるものではなく、照明装置１０、２０のそれぞれと輪郭形成部材３０とを連結（半固定）することが可能な連結部材であれば、他の構成を採用しても良い。また、留め具としてネジ等の固定部材を用いて固定し、固定部材を緩めて各照明部材の向きを変えた後に固定部材で固定するように構成しても良い。また、連結部材は、各照明部材の向きを変えるための手動又は電動の可動機構を備えていても良い。電動の可動機構を備えている場合、各照明部材の向きを変える際に店舗の従業員等が遠隔操作手段を操作し、その遠隔操作手段からの信号に基づいて可動機構が駆動され各照明部材の向きを変えることができる。
【００４６】
また本実施形態において、複数のワイヤー３２（第１のワイヤー及び第２のワイヤー）のそれぞれの直径（断面の直径）は、照明部材１１ａ〜１１ｘ、２１ａ〜２１ｘのそれぞれの表面の一辺（例えば、図２中の各照明部材の横辺（電線に沿った方向と垂直な方向の辺））の幅よりも短い。なお、照明部材の表面形状が四角形でない場合、ワイヤーの直径が電線と垂直な方向の最大幅よりも短くなるように構成される。このような構成により、ワイヤー３２に保持された各照明部材の向きを容易に変えることができる。
【００４７】
なお本実施形態において、複数のワイヤー３２（照明装置１０、２０）は、互いに略平行に配置されているが、これに限定されるものではなく、複数のワイヤー３２が互いに交差する箇所がある等、略平行でなくても良い。
【００４８】
本実施形態によれば、白色の光を発する照明部材と電球色の光を発する照明部材を並べて、商品に、白色の光と電球色の光を同時に当てることによって、小売店の店舗に陳列される商品を装飾し、同時にその商品を鮮やかに照射することができる。
【符号の説明】
【００４９】
１  装飾構造体
１０  照明装置（第１の照明装置）
１１ａ〜１１ｘ  照明部材（第１の照明部材）
１２ａ〜１２ａ＋１  電線（第１の電線）
１３  留め具（連結部材）
２０  照明装置（第２の照明装置）
２１ａ〜２１ｘ  照明部材（第２の照明部材）
２２ａ〜２２ａ＋１  電線（第２の電線）
３０  輪郭形成部材（保持部材）
３１ａ  保持部材（第１の保持部材）
３１ｂ  保持部材（第２の保持部材）
３２  ワイヤー
３２１  ワイヤー（第１の部分ワイヤー）
３２２  ワイヤー（第２の部分ワイヤー）
３３  円形状のワイヤー
３４  ワイヤー（接続部材）
３５  留め具（接続部材）
３６  板状部材（接続部材）
３７１  ボルト（接続部材）
３７２  ナット（接続部材）
４０  支持部材
１１２〜１１５、２１２〜２１５  ＬＥＤチップ
【図１】
0003228515.tif 000003
【図２】
0003228515.tif 000004
【図３】
0003228515.tif 000005